(57)【要約】【課題】  画像中の個々のエリアごとの著作権情報の相違に応じて，ユーザが適切な処理を選択して画像を形成できる画像コピー装置および画像コピーシステムを提供すること。【解決手段】  原稿の画像を読み取るとともに，原稿に埋め込まれているＩＣチップから，原稿の画像に関するエリアごとの著作権情報を取得する。そして，読み取った画像データと取得した著作権情報とに基づき，操作・表示パネルに選択用画面を表示する。選択用画面には，原稿の画像の各領域の著作権情報が模式的に表されている。この画面でユーザ操作により，各領域ごとにコピーの要否が選択される。要が選択された領域については画像がコピーされるが，否が選択された領域については画像がコピーされない。また，コピーされた領域に係る著作権料金が徴収される。【選択図】          図６
2006352260.tif 000002
【特許請求の範囲】
【請求項１】
原稿の画像をコピーする画像コピー装置において，
原稿をスキャンして画像データを取得するスキャナと，
原稿のエリアごとの画像の複製制限情報を取得する複製制限情報取得部と，
原稿の各々のエリアについて，取得した複製制限情報により許容される範囲内で，コピーの要否のユーザによる選択を受け付ける選択受付部と，
前記スキャナで取得した画像データに基づいて，前記選択受付部で要が選択されたエリアに係る画像をコピーするコピー手段とを有することを特徴とする画像コピー装置。
【請求項２】
請求項１に記載の画像コピー装置において，
画像の形成に関する情報を表示するとともに，表示している情報に対するユーザによる操作を受け付ける表示画面と，
前記複製制限情報取得部が取得した複製制限情報を前記表示画面にエリアごとに表示する複製制限情報表示部とを有し，
前記選択受付部は，前記表示画面への操作により選択を受け付けることを特徴とする画像コピー装置。
【請求項３】
請求項１に記載の画像コピー装置において，
複製制限情報に基づいて，前記選択受付部で受け付けている選択状況でのコピーに必要な金額を算出する必要額算出部を有することを特徴とする画像コピー装置。
【請求項４】
請求項１に記載の画像コピー装置において，
前記コピー手段は，画像データに基づく画像を媒体上に形成するプリントと，画像データを記憶媒体にコピーするデータコピーとを行うものであることを特徴とする画像コピー装置。
【請求項５】
請求項１に記載の画像コピー装置において，
前記選択受付部は，複製制限情報により許容される範囲内で，エリアごとのコピー条件の選択をも受け付け，
複製制限情報に基づいて，前記選択受付部で受け付けている選択状況でのコピーに必要な金額を算出する必要額算出部を有することを特徴とする画像コピー装置。
【請求項６】
原稿の画像をコピーする画像コピー装置と，画像の複製制限情報を集積した複製制限情報サーバとを有する画像コピーシステムにおいて，
前記画像コピー装置は，
原稿をスキャンして画像データを取得するスキャナと，
原稿のエリアごとの画像の複製制限情報を前記複製制限情報サーバから取得する複製制限情報取得部と，
原稿の各々のエリアについて，取得した複製制限情報により許容される範囲内で，コピーの要否のユーザによる選択を受け付ける選択受付部と，
前記スキャナで取得した画像データに基づいて，前記選択受付部で要が選択されたエリアに係る画像をコピーするコピー手段とを有することを特徴とする画像コピーシステム。
【請求項７】
原稿の画像をコピーする画像コピー装置と，コピー料金を徴収する課金装置と，画像の複製制限情報を集積した複製制限情報サーバとを有する画像コピーシステムにおいて，
前記画像コピー装置は，
原稿をスキャンして画像データを取得するスキャナと，
原稿のエリアごとの画像の複製制限情報を取得する複製制限情報取得部と，
原稿の各々のエリアについて，取得した複製制限情報により許容される範囲内で，コピーの要否のユーザによる選択を受け付ける選択受付部と，
前記スキャナで取得した画像データに基づいて，前記選択受付部で要が選択されたエリアに係る画像をコピーするコピー手段と，
コピー実行の際にコピー料金の情報を前記複製制限情報サーバへ送信する課金情報送信部とを有することを特徴とする画像コピーシステム。
【発明の詳細な説明】
【技術分野】
【０００１】
本発明は，原稿の画像を再現した画像を媒体上に画像を形成する画像コピー装置およびそれを利用した画像コピーシステムに関する。さらに詳細には，原稿の画像中に，著作権その他の知的財産権に基づく複製制限が設定されている場合の処理を適切に行うようにした画像コピー装置および画像コピーシステムに関するものである。
【背景技術】
【０００２】
画像形成装置で取り扱われる画像には，著作権等の排他権（以下，単に「著作権」という）の対象となっているものがある。このため従来から，著作権処理を適切に行いつつ画像を形成する技術が提案されている。例えば特許文献１のネットワークシステムでは，読み取り装置でブック原稿から読み取った画像データを，暗号化して情報処理装置に蓄積することとしている。そして，複合化を行う専用のＬＳＩとプログラムがない限りその画像データの再現ができないようにしている。
【０００３】
また，特許文献２のデジタル複写機では，画像データに埋め込まれた透かし情報を認識するようになっている。そして，認識した透かし情報に著作権料が含まれる場合には，表示部にその著作権料を表示する。あるいは，透かし情報に著作権ＩＤが含まれる場合には，著作権管理サーバにそのＩＤに対応する著作権料を問い合わせて表示部に表示するのである。これにより，著作権料をコピーベンダで徴収するようにしている。
【特許文献１】特開平９−１８７２０号公報
【特許文献２】特開２０００−２２４４０６号公報
【発明の開示】
【発明が解決しようとする課題】
【０００４】
しかしながら，前記した従来の技術では，対象とする画像に著作権がある場合には，その画像全体を著作権物（著作権の対象となっているものをいう，以下同じ）として扱っている。しかし実際には，画像中の特定の部分のみが写真等の著作権物である場合も少なくない。このため，画像中の部分ごとの著作権の有無に応じた適切な処理をすることができなかった。例えば，著作権のない部分のみを印刷したいと思ってもそれはできなかった。特に，特許文献１のものでは，蓄積済みの画像データについては，画像に設定されている著作権料の全額を支払わない限り，画像の内容を見ることすらできなかった。
【０００５】
本発明は，前記した従来の技術が有する問題点を解決するためになされたものである。すなわちその課題とするところは，画像中の個々のエリアごとの著作権情報の相違に応じて，ユーザが適切な処理を選択して画像を形成できる画像コピー装置および画像コピーシステムを提供することにある。
【課題を解決するための手段】
【０００６】
この課題の解決を目的としてなされた本発明の画像コピー装置は，原稿の画像をコピーする装置であって，原稿をスキャンして画像データを取得するスキャナと，原稿のエリアごとの画像の複製制限情報を取得する複製制限情報取得部と，原稿の各々のエリアについて，取得した複製制限情報により許容される範囲内で，コピーの要否のユーザによる選択を受け付ける選択受付部と，スキャナで取得した画像データに基づいて，選択受付部で要が選択されたエリアに係る画像をコピーするコピー手段とを有している。
【０００７】
本発明の画像コピー装置では，コピーをするためにスキャナで原稿をスキャンして原稿の画像データを取得する。それとともに，複製制限情報取得部により原稿のエリアごとの画像の複製制限情報を取得する。そして選択受付部が，複製制限情報により許容される範囲内で，コピーのエリアごとの要否のユーザによる選択を受け付ける。これによりコピー手段が，選択受付部で要が選択されたエリアに係る画像をコピーする。かくして，この画像コピー装置を用いれば，エリアごとに複製制限が設定されている原稿について，複製制限情報により許容される範囲内で，ユーザの意思により，エリアごとにコピーするかしないかを選択することができる。
【０００８】
本発明の画像コピー装置においてはさらに，画像の形成に関する情報を表示するとともに，表示している情報に対するユーザによる操作を受け付ける表示画面と，複製制限情報取得部が取得した複製制限情報を表示画面にエリアごとに表示する複製制限情報表示部とを有することが望ましい。このようにすると，選択受付部は，表示画面への操作により選択を受け付けることができる。
【０００９】
本発明の画像コピー装置はまた，複製制限情報に基づいて，選択受付部で受け付けている選択状況でのコピーに必要な金額を算出する必要額算出部を有することがのぞましい。
【００１０】
なお，本発明の画像コピー装置におけるコピー手段は，画像データに基づく画像を媒体上に形成するプリントと，画像データを記憶媒体にコピーするデータコピーとの２通りのコピーを行うものであってもよい。
【００１１】
本発明の画像コピー装置において，選択受付部は，複製制限情報により許容される範囲内で，エリアごとのコピー条件の選択をも受け付けるものであるとよりよい。その場合，複製制限情報に基づいて，選択受付部で受け付けている選択状況でのコピーに必要な金額を算出する必要額算出部を有することがのぞましい。
【００１２】
本発明はまた，原稿の画像をコピーする画像コピー装置と，画像の複製制限情報を集積した複製制限情報サーバとを有する画像コピーシステムであって，画像コピー装置が，原稿をスキャンして画像データを取得するスキャナと，原稿のエリアごとの画像の複製制限情報を複製制限情報サーバから取得する複製制限情報取得部と，原稿の各々のエリアについて，取得した複製制限情報により許容される範囲内で，コピーの要否のユーザによる選択を受け付ける選択受付部と，スキャナで取得した画像データに基づいて，選択受付部で要が選択されたエリアに係る画像をコピーするコピー手段とを有するシステムにも及ぶ。
【００１３】
また，本発明は，コピー料金を徴収する課金装置をさらに有する画像コピーシステムであって，画像コピー装置が，コピー実行の際にコピー料金の情報を前記複製制限情報サーバへ送信する課金情報送信部を備えるシステムにも及ぶ。
【発明の効果】
【００１４】
本発明によれば，画像中の個々のエリアごとの著作権情報の相違に応じて，ユーザが適切な処理を選択して画像を形成できる画像コピー装置および画像コピーシステムが提供されている。
【発明を実施するための最良の形態】
【００１５】
以下，本発明を具体化した最良の形態について，添付図面を参照しつつ詳細に説明する。本形態の画像形成システムは，図１に示すように構成されている。この画像形成システム（以下，「本システム」という）は，複合コピー機１と，著作権情報サーバ２と，サーバ３とを，ネットワークを介して相互に通信可能にしたものである。サーバ３にはさらに，パソコン４が接続されている。
【００１６】
複合コピー機１は，本システムの中心的な存在である。複合コピー機１は，原稿の画像を印刷用紙に印刷するコピー機能の他，原稿から取得した画像データを外部へ送信する機能，外部から受信した画像データにより画像を印刷する機能，等を備えた複合機である。すなわち複合コピー機１における「コピー」には，印刷によるハードコピーと送信によるデータコピーとの２通りがある。さらに，原稿の画像についての著作権情報を取得し，それに基づいて適切な処理をする機能をも備えている。著作権情報サーバ２は，種々の画像の著作権情報を集積したサーバである。これらの詳細は後述する。サーバ３とパソコン４は一般的なものである。
【００１７】
図１の本システムのうち，複合コピー機１，サーバ３，およびパソコン４がいわゆるローカルネットを構成している。著作権情報サーバ２には，外部ネットを介してアクセスすることになる。ただし，このような形態の他に，サーバ３およびパソコン４に外部ネットを介してアクセスする構成や，著作権情報サーバ２をローカルネット内に持つ構成も可能である。なお，図１の本システムにおいて，複合コピー機１と著作権情報サーバ２との間では，もっぱら著作権に関する情報がやりとりされる。一方，複合コピー機１とサーバ３，さらにはパソコン４との間では，パネル表示に関する情報や，複合コピー機１の操作に関する情報，画像データなどがやりとりされる。
【００１８】
複合コピー機１は，図２にその外観を示すように，その最上部に自動原稿送り装置１０を有している。以下，上から順に，スキャナ１１，プリンタ１２，給紙部１３，を有している。さらに，スキャナ１１の部分の前面には操作・表示パネル１４が，給紙部１３の横には手差しトレイ１５が設けられている。操作・表示パネル１４は，情報の表示ばかりでなく領域選択その他の操作も受け付けるものである。プリンタ１２の上面は排紙トレイを兼ねている。複合コピー機１にはまた，コインベンダ１６が付設されている。複合コピー機１にコインベンダ１６の機能が内蔵されているものでもよい。
【００１９】
複合コピー機１の制御系は，図３に示すように構成されている。図３における複合コピー機１には，前出の操作・表示パネル１４の他，駆動回路１７，メカコントローラ１８，マクロシステムコントローラ１９が設けられている。駆動回路１７は，自動原稿送り装置１０，スキャナ１１，プリンタ１２，および給紙部１３における各機械部分を駆動する回路である。メカコントローラ１８は，駆動回路１７の制御を担当するコントローラである。マクロシステムコントローラ１９は，複合コピー機１における機械制御以外の制御を担当するコントローラである。具体的には，画像データや著作権情報の取扱の他，操作・表示パネル１４の制御，コインベンダ１６との通信，およびネットワークを介しての外部との送受信を行う。
【００２０】
複合コピー機１のスキャナ１１は，図４に示すように，スライダ２０を備えている。スライダ２０は，置き撮りの場合に矢印Ｘのように移動して原稿５０の画像を読み取るものである。本形態におけるスライダ２０は，原稿５０中に埋め込まれているＩＣチップ５１と交信する機能をも有している。このため，スライダ２０の内部には，アンテナ２１が内蔵されている。アンテナ２１は，スライダ２０の移動とともに矢印Ｙのように移動して，原稿５０の埋め込みＩＣチップ５１の上を通過するようになっている。これにより，原稿５０が埋め込みＩＣチップ５１を内蔵しているものであれば，そこから必要な情報を取り出すことができる。スライダ２０が取得した画像データや，アンテナ２１がＩＣチップ５１から取得したデータは，図３の制御系中のマクロシステムコントローラ１９に入力され，画像形成を初めとする各種処理に供される。スキャナ１１以外のプリンタ１２および給紙部１３については，通常のものと特段の違いはない。
【００２１】
複合コピー機１の基本的な機能は，原稿５０の画像の印刷，原稿５０を読み取った画像データのパソコン４等への送信，およびパソコン４等から受信した画像データの印刷である。さらに，原稿５０の画像をスキャナ１１で読み取るに際し，前述のように原稿５０中のＩＣチップ５１からも情報を取得する。これにより，原稿５０の画像に設定されている著作権情報に基づく処理を行う。なお，複合コピー機１は，サーバ３あるいはパソコン４から操作されることもできる。その場合には，複合コピー機１の操作・表示パネル１４に表示される画面と同じ内容が，サーバ３あるいはパソコン４のディスプレイに表示されることとなる。
【００２２】
［第１の処理例］
複合コピー機１による第１の処理例として，原稿５０の画像中の領域ごとに著作権情報が設定されており，領域ごとにコピーの有無を選択する例を説明する。
【００２３】
例えば，原稿５０の画像が，図５に示すようなものであったとする。図５の例では，ページ中に領域Ａ〜Ｅが存在している。実際には，各領域の中身は，写真や絵，文章などである。そして，ＩＣチップ５１から著作権情報が取得される。取得される著作権情報は例えば，表１に示されるようなものである。表１の著作権情報では，２通りのコピー方法（印刷とデータコピー）それぞれについて，可否（期間を含む）と料金が定められている。表１の著作権情報が取得された場合には，操作・表示パネル１４の画面中に図６のような表示がなされる。図６は，コピー方法として「印刷」を選択している場合の表示例である。コピー方法として「データコピー」を選択して同様に表示させることもむろん可能である。
【００２４】
【表１】
2006352260.tif 000003
【００２５】
すなわち，図５に示した原稿５０の画像について，その各領域の著作権情報が模式的に表されるのである。図６の画面中には，著作権による利用制限が設定されている領域Ａ〜Ｄ（以下，「著作権領域」ということがある）について，印刷する場合の著作権料が表示されている。あるいは，印刷禁止である領域についてはその旨が表示されている。また，著作権による利用制限が設定されていない領域Ｅについては，フリー領域と表示されている。
【００２６】
さらに，枠内の下部には，複合コピー機１による印刷出力の基本料金である「基本料金」や，これに現在選択されている領域の著作権料を合計した「コピー料金」も表示されている。さらに，原稿５０が複数ページにわたる場合の他のページの料金を合わせた「合計金額」や，コインベンダ１６に現在投入されている金額である「投入額」も表示されている。これらの他に，原稿５０中の全部の著作権領域を選択した場合に必要となる金額をも表示するようにしてもよい。また，「投入額」の範囲内で選択可能な領域を，表示色を変える等の手法によりユーザが認識できるようにしてもよい。
【００２７】
図６の画面において，ユーザが所望の著作権領域に指先で触れることにより，その領域を選択し，また選択を解除することができる。選択されていない領域については，その輪郭が破線となる。領域Ｄのような印刷禁止領域は，選択することができない。領域Ｅのようなフリー領域は，常時選択された状態にある。むろん，ユーザ操作によりフリー領域の選択を解除できるようにしてもよい。ユーザの操作により領域の選択状況を変更すると，左下の「コピー料金」の金額もそれに伴って変わる。図６は，選択できない領域Ｄを除くすべての領域を選択した状態を示している。このように，各領域の料金などの情報を視覚的に確認しつつ選択を行うことができる。
【００２８】
ここにおいて，「投入額」の金額が「コピー料金」の金額以上であれば，印刷の実行が可能である。図６の選択状態で印刷を実行すると，図７に示すコピー出力が得られる。すなわち，印刷禁止領域である領域Ｄの画像は再現されておらず，それ以外の各領域の画像が再現されている。むろん，図６の右側部分の金額の表示は印刷されていない。
【００２９】
図７において，領域Ｄのあった場所には，表１中に「代替情報」として用意されている情報が，本来の画像の代わりに配置されている。これにより，コピー出力を見たユーザは，その部分の画像がない理由を知ることができる。画像を削除した領域の処理としてはこの他にも，当該部分を全くの空白にする，特定色でのベタ塗りとする，輪郭のみ示す，元の画像の種別（写真とか文字情報とかの区別）のみ示す，等のやり方も可能である。また，代替情報としては，ＩＣチップ５１に用意されていたものの他，複合コピー機１にあらかじめ用意しておいたものを利用することもできる。
【００３０】
図６において著作権料金の高い領域Ｃの選択を解除して印刷を実行した場合の出力例を図８に示す。図８は，画像を削除した領域の処理として全くの空白を採用した場合の出力例を示している。さらに，図６においてフリー領域Ｅを除くすべての領域の選択を解除して印刷を実行した場合の出力例を図９に示す。この場合に必要な料金は，「基本料金」だけである。図９は，画像を削除した領域の処理として，複合コピー機１にあらかじめ用意されている代替情報である「コンテンツが削除されました」を配置した出力例を示している。
【００３１】
なお，図６の例では１ページ分の情報しか表示していない。しかしながら，原稿５０が複数ページにわたる場合には，複数ページ分の情報が表示されるようにしてもよい。さらには，単に領域ごとのコピーの要否を選択させるだけでなく，コピーする領域を集めて新たにページを構成する編集機能を備えてもよい。また，図６のような選択画面をネットワークを介してサーバ３あるいはパソコン４のディスプレイに表示してそこから選択操作を受け付けることもできる。
【００３２】
ここまでの説明では，画像の著作権情報はＩＣチップ５１から取得するものとしていた。しかしこれに限らず，図１中のネットワークを介して著作権情報サーバ２から取得する手法もある。その場合には，ＩＣチップ５１には，原稿５０の識別コードもしくは各領域の画像の識別コードのみが記録されていればよい。そして著作権情報サーバ２には，原稿５０の識別コードに対応させて表１のような情報を記録しておくのである。あるいは，各領域の画像の識別コードに対応させて，表１中の「位置」，「印刷可否」，「料金」，そして「代替情報」の各欄のような情報を記録しておくのである。さらには，ＩＣチップ５１と著作権情報サーバ２との双方から著作権情報を取得することもできる。こうすると，ＩＣチップ５１内の著作権情報における改竄の有無を確認することができる。
【００３３】
あるいは，原稿５０もしくは各領域の画像の識別コードを，原稿５０の画像面のどこかにバーコードもしくは２次元コードとして記録しておいてもよい。この場合，ＩＣチップ５１は不要である。さらには，これらのコードのデータ記録容量が大きければ，著作権情報そのものをこうした形でコード化して記録しておいてもよい。この場合，著作権情報サーバ２にアクセスする必要さえない。
【００３４】
複合コピー機１における本処理例のコピー動作の詳細を，図１０および図１１のフローチャートにより説明する。このフローチャートの説明においては，コピー方法としては印刷とデータコピーとの双方を行うものとする。データコピーのコピー先は図１中のパソコン４である。以下，このフローの説明においてはデータコピーを「データ送信」という。ＩＣチップ５１の付いた原稿５０をスキャナ１１にセットして開始指令をユーザが入力すると，このフローが開始される。このフローの実行中には原則としていつでも，コインベンダ１６で現金の投入を受け付ける。
【００３５】
このフローでは最初に，原稿５０の画像のスライダ２０による読み取りが行われる。このとき，アンテナ２１によるＩＣチップ５１との交信も行われる。これによりＩＣチップ５１から，原稿５０の画像に関する著作権情報が取得される（＃１）。むろん，著作権情報の取得を前述のように他の方法で行ってもよい。原稿５０の読み取りおよび著作権情報の取得が終了すると（＃２：Ｙｅｓ），取得した著作権情報に基づく操作・表示パネル１４の表示が行われる（＃３）。これにより，図６に例示したような画面が表示される。この表示画面上で，前述のようにコピーする領域の選択が行われる。
【００３６】
このためにまず，選択禁止処理が行われる（＃４）。すなわち，著作権情報上，「印刷」と「データコピー」とがともに不可であるものは，あらかじめ，ユーザによる選択ができないようにしてしまうのである。ここで，期間限定の可であって現在日時がその期間外であるものは，不可と見なす。そして，ユーザによる選択を受け付ける（＃５）。ここで，＃４で選択が禁止された領域をユーザが選択しようとした場合には何らかの注意喚起を行うようにしてもよい。また，印刷とデータ送信との一方のみが可であるような領域が選択された場合にも注意喚起を行うようにしてもよい。
【００３７】
ユーザが図６中のＯＫボタン４９を押すと，領域選択が終了したものとして（＃６：Ｙｅｓ），コピー料金が充足しているか否かを判断する（＃７）。この判断は，コピーに必要な料金と，コインベンダ１６に現在投入されている金額とを比較することにより行う。すなわち，コインベンダ１６への投入額が上限額なのである。コピーに必要な料金とは，その時点で選択されている領域の著作権料金の総額と，コピーの基本料金との合計額である。
【００３８】
投入額が必要額に満たない場合には（＃７：Ｎｏ），操作・表示パネル１４に金額不足の旨を表示する（＃８）。この場合の対処には，中止，選択領域削減，追金，の３通りがある。フローとしてはまず，中止するか否かの判断を行う（＃９）。ユーザが中止指令を入力すると（＃９：Ｙｅｓ），後述する＃１９（図１１）へ進む。ユーザが処理続行を選択した場合には（＃９：Ｎｏ），＃５および＃６の領域選択へ戻る。ここでユーザは，選択領域を削減することができる。あるいは，コインベンダ１６に追加金額を投入することもできる。再びＯＫボタン４９が押されたときに投入額が必要額以上であれば，（＃７：Ｙｅｓ）と判断される。その後，印刷処理に入る。
【００３９】
印刷処理ではまず，選択されている領域に印刷不可の領域があるか否かを判断する（＃１０）。データ送信のみが可とされている領域が選択されている可能性があるからである。印刷不可の領域が選択されている場合には（＃１０：Ｙｅｓ），印刷不可の警告を発する（＃１１）。そして，残部，すなわち印刷可の領域のみを印刷するか否かをユーザに問い合わせる（＃１２，以下図１１）。ユーザが「する」を選択した場合には（＃１２：Ｙｅｓ），印刷を実行する（＃１３）。この場合には，選択されている領域のうち印刷可の領域のみが印刷される。選択されていない領域や印刷不可の領域は，空白にされるか，代替情報で置き換えられる。
【００４０】
＃１２でユーザが「しない」を選択した場合には（＃１２：Ｎｏ），＃１３をバイパスしてデータ送信処理へ移行する。＃１０で印刷不可の領域が選択されていない場合には（＃１０：Ｎｏ），＃１１および＃１２をバイパスして印刷を実行する（＃１３）。この場合には，選択されている領域が印刷される。選択されていない領域は，空白にされるか，代替情報で置き換えられる。このようにして，図７〜図９に例示したようなコピー出力が得られる。
【００４１】
＃１３で印刷を実行すると，コインベンダ１６に投入されている金額のうち，印刷に必要な合計料金相当額が収納される。これにより投入額の有効残高はその分差し引かれる。また，印刷が実行された旨の情報がマクロシステムコントローラ１９から著作権情報サーバ２へ送信される。これにより，印刷に係る著作権料金の権利者への適切な分配が可能となる。なお，印刷用紙としてＩＣチップ等の記憶素子が埋め込まれているものを用いる場合には，その記憶素子に著作権情報を書き込むようにすることもできる。続いて，データ送信処理に入る。
【００４２】
データ送信処理ではまず，選択されている領域にデータ送信不可の領域があるか否かを判断する（＃１４）。印刷のみが可とされている領域が選択されている可能性があるからである。データ送信不可の領域が選択されている場合には（＃１４：Ｙｅｓ），データ送信不可の警告を発する（＃１５）。そして，残部，すなわちデータ送信可の領域のみをデータ送信するか否かをユーザに問い合わせる（＃１６）。ユーザが「する」を選択した場合には（＃１６：Ｙｅｓ），データ送信を実行する（＃１７）。この場合には，選択されている領域のうちデータ送信可の領域のみがデータ送信される。選択されていない領域やデータ送信不可の領域は，空白にされるか，代替情報で置き換えられる。
【００４３】
＃１６でユーザが「しない」を選択した場合には（＃１６：Ｎｏ），図１０中の＃９へ戻る。＃１４でデータ送信不可の領域が選択されていない場合には（＃１４：Ｎｏ），＃１５および＃１６をバイパスしてデータ送信を実行する（＃１７）。この場合には，選択されている領域がデータ送信される。選択されていない領域は，空白にされるか，代替情報で置き換えられる。こうして画像データがパソコン４に送信されると，パソコン４ではその画像をそのスクリーン上に表示することができる。なお，データ送信に際して，画像データのみならず該当する著作権情報をも合わせて送信することとしてもよい。
【００４４】
＃１７でデータ送信を実行すると，コインベンダ１６に投入されている金額のうち，データ送信に必要な合計料金相当額が収納される。これにより投入額の有効残高はその分差し引かれる。また，データ送信が実行された旨の情報がマクロシステムコントローラ１９から著作権情報サーバ２へ送信される。これにより，データ送信に係る著作権料金の権利者への適切な分配が可能となる。
【００４５】
データ送信が実行されると，処理を終了するか否かをユーザに問い合わせる（＃１８）。終了しない場合には（＃１８：Ｎｏ），図１０中の＃１へ戻り，後続の原稿５０について同様に処理を行う。終了する場合には（＃１８：Ｙｅｓ），コインベンダ１６に残金があるか否かを判断する（＃１９）。残金がある場合には（＃１９：Ｙｅｓ），返却する（＃２０）。残金の処理が済むと，この処理は終了する。
【００４６】
こうして本処理例では，領域ごとにコピーするかしないかを選択できる。このためユーザとしては，著作権料の金額を勘案しつつ，コピーする領域を選択することができる。
【００４７】
以上の図１０および図１１のフローの説明では，コピー方法としては印刷とデータコピーとの双方を行うものとした。このため＃４では，「印刷」と「データコピー」とがともに不可であるもののみを選択禁止することとした。しかしながら実際には，２つのコピー方法のうち一方のみを行う場合もある。その場合に＃４では，該当するコピー方法の可否のみで判断すればよい。また，このフローでは，必要額が「投入額」を超えるような選択でも一応は受け付けて＃７で金額充足を判断することとした。しかしこれに限らず，必要額が「投入額」を超えることとなる選択自体を拒絶するようにしてもよい。
【００４８】
さらに，＃５，＃６の選択処理において，該当するコピー方法は禁止されているが他方のコピー方法が禁止されていない領域をユーザが選択しようとした場合に，他方のコピー方法に限り可能である旨のメッセージを表示するようにしてもよい。その場合には，＃１０〜＃１２，＃１４〜＃１６の処理は不要である。禁止領域が選択されていることがあり得ないからである。そしてむろん，印刷（＃１３）およびデータ送信（＃１７）については，該当する方のみ行えばよい。
【００４９】
［第２の処理例］
複合コピー機１による第２の処理例として，原稿５０の画像中の各領域について，印刷条件ごとに異なる著作権料金情報が設定されており，領域ごとに印刷条件を選択する例を説明する。印刷条件とは例えば，拡大率，画質（画素数，階調数，色彩補正の精度，ボカシ処理，モザイク処理等），色数，コーティングの有無，等のことである。本処理例としては，コピー自体の方法は，印刷であることとする。
【００５０】
例えば，原稿５０の画像が，図１２に示すようなものであったとする。図１２の例では，ページ中に領域Ｆ，Ｇが存在している。この例におけるＩＣチップ５１の著作権情報を表２に示す。表２の著作権情報では領域ごとに，標準料金の他に，印刷条件を変更した場合に加算または減算される額も規定されている。これにより操作・表示パネル１４の画面には，図１３のような表示がなされる。
【００５１】
【表２】
2006352260.tif 000004
【００５２】
図１３の画面には，図１２の原稿５０の模式的表示と，用紙拡大率選択部５２と，金額表示部５３とが含まれている。この画面の用紙拡大率選択部５２の三角マークにユーザが指先で触れることにより，画像全体としての拡大率を変更することができる。これに連動して各領域の拡大率も変わる。また，原稿５０の模式的表示部分内の所望の位置にユーザが指先で触れることにより，各領域の印刷条件を変更することができる。拡大率についても，領域ごとに個別に変更できるようにしてもよい。金額表示部５３には，現在の印刷条件における必要料金と，コインベンダ１６に現在投入されている金額とが表示されている。必要料金中の「コーティング料金」は，形成画像のコーティングをするに際しての複合コピー機１の使用料に相当するものである。これに対し，各領域内の「コーティング」の料金は，コーティングをすることによる著作権料の加算額のことである。
【００５３】
ここにおいて，金額表示部５３内の「残金」の額が「合計」の額以上であれば，印刷の実行が可能である。図１３中の印刷条件で印刷を実行すると，原稿サイズの１．５倍に拡大されたコピー出力が得られる。そのコピー出力においては，領域Ｆ，Ｇの画像ともに１．５倍に拡大されている。領域Ｆの画像にはコーティングが施されており，領域Ｇの画像は画質が３０％ダウンされている。
【００５４】
複合コピー機１における本処理例のコピー動作の処理フローは，図１０および図１１に示したものとほぼ同様である。ただし，＃５〜＃６での選択には，領域ごとの印刷条件の選択が含まれる。なお，図１３中の金額表示部５３内に「投入して下さい」の文字が表示されているのは，＃８の不足表示の１つの実現例である。＃１３の印刷の際に著作権情報サーバ２へ送信される情報には，実施した印刷条件の情報も含まれる。また，本処理例では印刷不可領域がない場合を想定しているので，＃１０の判断は必ずＮｏであり，＃１１，＃１２は行われない。＃１３では，各領域ごとの印刷条件に従って画像形成や後処理が行われる。また，本処理例ではデータ送信を行わない場合を想定しているので，＃１４〜＃１７は行われない。むろん，本処理例でもデータ送信を行うことは可能である。
【００５５】
こうして本処理例では，領域ごとに印刷条件を選択できる。このためユーザとしては，著作権料の金額を勘案しつつ，コピーに際しての印刷条件を領域ごとに選択することができる。
【００５６】
［第３の処理例］
次に，複合コピー機１による第３の処理例を説明する。この処理例は，基本的には第２の処理例と同じであるが，領域ごとに個別に拡大率を変更できるようにしたものである。そして，その結果として画像同士の重複が生じた場合に適切な処理を行うようにしたものである。本処理例も，コピー自体の方法は印刷であることとする。
【００５７】
本処理例は，図１３の表示画面において，用紙サイズを大きくしないで各領域ごとに拡大率を大きくした場合に意味がある。このような場合には，画像領域同士が重複してしまうおそれがあるからである。
【００５８】
例えば，図１３の表示画面において，用紙拡大率を０％，すなわち同寸のまま領域Ｆのみ２０％拡大する条件を選択したとする。この場合に領域Ｆと領域Ｇとが重複するならば，操作・表示パネル１４に図１４の画面を表示する。この画面では，領域Ｆと領域Ｇとの重複を図示している。また，重複解消のために拡大率の低下を推奨するメッセージ５４も表示されている。これにより，ユーザの注意を喚起するようにしている。さらに，強行ボタン５５や戻るボタン５６も表示されている。強行ボタン５５は，重複してもよいからそのまま出力したいユーザのための指示ボタンである。これにより，ユーザの意図を尊重できるようになっている。戻るボタン５６は，図１３の選択用画面に戻るためのボタンである。
【００５９】
複合コピー機１における本処理例のコピー動作の処理フローは，図１０および図１１のフローチャートにおける（＃６：Ｙｅｓ）と＃７との間に，図１５に示す＃３１〜＃３３を挿入したものとなる。すなわち，ユーザによる領域および印刷条件の選択が終了すると（＃６：Ｙｅｓ），重複の有無を判断する（＃３１）。図１４に示したような状況になっているかいないかを判断するのである。重複がない場合には（＃３１：Ｎｏ），図１０へ戻って＃７以下の処理が行われる。重複がある場合には（＃３１：Ｙｅｓ），その旨を警告するとともに縮小を推奨する（＃３２）。図１４中のメッセージ５４がこれである。このとき，強行ボタン５５も表示される。
【００６０】
続いて，現在の条件での印刷を強行するか否かを判断する（＃３３）。この判断は，図１４の画面中の強行ボタン５５と戻るボタン５６とのどちらが先に押されたかによる。強行ボタン５５が先に押された場合には，＃３３：Ｙｅｓと判断する。このため，図１０へ戻ってそのまま＃７以下の処理が行われる。すなわち，ユーザの意思を尊重し，領域同士の重複があるままで印刷を実行するのである。戻るボタン５６が先に押された場合には，＃３３：Ｎｏと判断する。この場合には図１０の＃５へ戻る。これにより，図１３の選択用画面が再び表示される。そこでユーザは，領域および印刷条件の選択を変更することができる。
【００６１】
こうして本処理例では，画像同士の重複が発生しないように，印刷条件の適切な選択を支援することができる。なお，領域同士の重複のみならず，印刷可能範囲からの画像のはみ出しについても同様の処理を行うことができる。また，領域の拡大率を変更した場合のみならず，用紙内で領域が配置される位置を変更した場合にもついても同様の処理を行うことができる。編集機能を使用した場合についても同様である。
【００６２】
［第４の処理例］
次に，複合コピー機１による第４の処理例を説明する。この処理例も第２の処理例の発展形である。この処理例は，図１０の＃５〜＃６での領域および印刷条件の選択を支援する処理例である。すなわちこの処理例では，ユーザに領域および印刷条件を選択させるに際し，標準的な選択パターンを提示し，その中から選択させるのである。このため，原稿５０の読み取り後に操作・表示パネル１４の画面に，図１３の表示に変えて図１６の表示をする。
【００６３】
図１６の画面には，「出力形態変更パターン」の欄が設けられており，その中に複数の出力パターンが例示されている。図１６中の出力パターンの例示は，原稿５０が，上下２つの領域を有するものである場合の例である。例えば「パターンＡ」は，上の領域についてコーティング処理とともにコピーし，下の領域についてはノーマルコピーするパターンである。「パターンＢ」は，上下の領域にともにコーティング処理を施すとともに，下の領域の画像をモノクロ化するパターンである。「パターンＣ」は，上の領域を１０％拡大し，下の領域を５％縮小するパターンである。「パターンＤ」は，上の領域を３０％拡大し，下の領域を２５％縮小するパターンである。「パターンＥ」は，上下の領域をともに２５％拡大するとともに，上の領域の画像をモノクロ化し，下の領域の画像の画質を１０％低下させるパターンである。「パターンＦ」は，上の領域についてコーティング処理するとともにその画像を２０％拡大し，下の領域の画像を１５％拡大しつつ画質を４０％低下させるパターンである。
【００６４】
ここに例示した出力パターンはいずれも，原稿５０のある１ページ内の画像を対象として設定されたものである。しかしながらこのようなパターンに限らず，複数ページにわたる画像から領域を拾い出して１ページにまとめた複合パターンが設定されていてもよい。
【００６５】
図１６の画面では，「出力形態変更パターン」の欄内の出力パターンのうち所望のものにユーザが指で触れることにより，そのパターンを選択することができる。選択されているパターンの輪郭は太線で表示される。むろん，画面右上の料金欄には，選択されているパターンに必要な料金が表示される。領域を選択すると画面内右下にＯＫボタン５７が表示され，これを押すと選択が確定する。その場合，選択したパターンに従ってコピーがなされる。また，画面内右辺付近の手動選択ボタン５８を押すことにより，第２の形態の図１３のような選択用画面に移行することができる。これにより，個々の領域のコピーの有無および印刷条件を個別に選択することもできる。
【００６６】
ここでユーザに提示する選択パターンは，権利者側でその原稿５０のために設定したものでもよいし，複合コピー機１にあらかじめ汎用向けに用意されているものでもよい。前者の場合には，原稿５０のＩＣチップ５１または著作権情報サーバ２にそのデータが格納されている。後者の場合には，複合コピー機１のマクロシステムコントローラ１９に選択パターンのデータが保存されており，そのうち，原稿５０の領域の配置状況や著作権情報に適合するものが使用される。また，その場合の料金は，パターンに規定されているコピー条件と，ＩＣチップ５１から取得した著作権料金とにより算出される。
【００６７】
複合コピー機１における本処理例のコピー動作の処理フローでは，図１０および図１１のフローチャートの＃１において，ＩＣチップ５１に選択パターンのデータがあればそれも読み込む。そして読み取り終了後に，＃３の代わりに図１７の＃３５へ移行し，図１６に示したようなパターンを選択させる画面を表示する。ユーザがパターンを選択した上でＯＫボタン５７を押すと，（＃３６：Ｙｅｓ）と判断される。この場合，選択されたパターンにより，図１０の＃７以降の処理が行われる。ただし，その後に金額不足により（＃９：Ｎｏ）の判断に至った場合，戻り先は＃３５である。図１６の画面でユーザが手動選択ボタンを押すと，（＃３６：Ｎｏ）と判断される。この場合，図１３のような通常の選択用画面に移行し（＃３７），そして図１０の＃４以降の処理が行われる。
【００６８】
こうして本処理例では，個々の著作権領域についての印刷条件を個別に選択する煩雑さが緩和されている。また，権利者側で好ましいと思うパターンでのコピーがなされるように誘導することもできる。なお本処理例では，提示された標準的なパターンをユーザが仮に選択し，そのパターンを初期状態として手動選択モードへ移行することができるようにしてもよい。
【００６９】
以上詳細に説明したように本実施の形態の複合コピー機１では，原稿５０の画像を読み取る際にその著作権情報をも取得する。そして，画像内の個々の領域ごとの利用制限に基づいて，ユーザが適切にコピーの有無やその条件を選択し，また必要な料金を把握できるようにしている。さらに，コピーが禁止されている領域については選択を禁止している。これにより，ユーザが無駄な選択操作をしなくてすむようにしている。さらに，選択されなかった領域については，代替情報を配置することとしている。これにより，コピー出力を見た者が事情を把握できるようにしている。さらに，領域を拡大することにより画像の重複やはみ出しが生じる場合には事前に警告するようにしている。これにより，ユーザが意図しない出力をしてしまうことを防止している。また，標準的な選択パターンを提供することにより，コピー条件のユーザによる選択に対して便宜を図っている。このようにして，画像中の個々のエリアごとの著作権情報の相違に応じて，ユーザが適切な処理を選択して画像を形成できる複合コピー機１が実現されている。また，複合コピー機１と著作権情報サーバ２等とにより構成される画像形成システムが実現されている。
【００７０】
なお，本形態は単なる例示にすぎず，本発明を何ら限定するものではない。したがって本発明は当然に，その要旨を逸脱しない範囲内で種々の改良，変形が可能である。例えば，複製制限の根拠たる知的財産権は著作権に限らない。意匠権，商標権など他の種類の権利に起因する複製制限であってもよい。また，情報そのものを有価物とみて設定した複製制限であってもよい。
【００７１】
また，課金手段としてコインベンダ１６を用いたが，預金口座カード，クレジットカード，デビットカード，プリペイドカードその他の電磁的決済手段を用いることもできる。その場合，図１０の＃７の「金額充足？」の判断は，カードの限度額や残高等を上限額として行えばよい。また，カードを使わずに携帯通信端末を利用して対象決済手段の情報にアクセスする方式も可能である。
【００７２】
また，データコピーの具体的手法は，サーバ３やパソコン４へのデータ送信には限られない。複合コピー機１にメディア差し込みスロットを設けておくことにより，ユーザが持参した記憶メディアにデータコピーすることも可能である。また，印刷によるコピーについても，複合コピー機１自身による印刷に限られない。ネット上にプリンタ，ファクス機，ＤＰＥ機等が存在している場合には，印刷指令をこれらの機器に送信してそこで印刷させることも可能である。
【００７３】
本発明の画像コピー装置はあるいは，画像の形成に関する情報および複製制限情報取得部が取得した複製制限情報を外部機器に送信してそこでの表示に供するとともに，その外部機器からユーザによる操作情報を受信する送受信部を有するものであってもよい。このようにすると選択受付部は，送受信部を介して受信した外部機器での操作情報により選択を受け付けることができる。
【００７４】
また，本発明の画像コピー装置では，複製制限情報取得部は，原稿に埋め込まれている記憶媒体から画像の複製制限情報を取得するものであることが好ましい。あるいは複製制限情報取得部は，外部の情報サーバから画像の複製制限情報を取得するものであってもよい。
【００７５】
また，本発明の画像コピー装置では，選択受付部は，複製制限情報が「コピー禁止」であるエリアを要とする選択操作をあらかじめ禁止することがのぞましい。また，複製制限情報が「コピー自由」であるエリアを自動的に要とすることことがのぞましい。また，複製制限情報表示部は，複製制限情報が「コピー自由」であるエリアについては，その旨を表示画面に表示することがのぞましい。また，送受信部は，複製制限情報が「コピー自由」であるエリアについては，その旨を外部機器での表示に含めさせることがのぞましい。
【００７６】
本発明の画像コピー装置はさらに，選択受付部で否が選択されたエリアまたは複製制限情報が「コピー禁止」であるエリアについて，コピー手段でのコピーの際に元の画像データに替えて代替情報を配置する代替情報配置部を有することがのぞましい。また，選択可能なすべてのエリアのコピーに必要な金額を算出する全体額算出部を有することものぞましい。
【００７７】
また，本発明の画像コピー装置は，コピー料金を徴収する課金装置と，コピー実行の際にコピー料金の情報を外部の情報サーバへ送信する課金情報送信部とを有することがのぞましい。これにより選択受付部は，複製制限情報に基づいて，必要額が課金装置における上限額を超えることとなる選択を拒否することができる。
【００７８】
また，本発明の画像コピー装置は，選択受け付け部でのコピー条件の選択状況によりエリア同士の重複またはエリアの用紙サイズ外へのはみ出しが生じる場合に，ユーザへの警告を行う警告部を有することがのぞましい。あるいは，選択受付部は，あらかじめ用意されている選択パターンをユーザに提示することもまたのぞましい。
【図面の簡単な説明】
【００７９】
【図１】本形態に係る画像形成システムを示すブロック図である。
【図２】本形態に係る複合コピー機を示す正面図である。
【図３】本形態の複合コピー機の制御系の構成を示すブロック図である。
【図４】本形態の複合コピー機のスキャナを示す透視図である。
【図５】第１の処理例における著作権領域が設定された原稿の画像の例を示す図である。
【図６】第１の処理例における表示パネルに原稿の画像の著作権情報を表示した状態を示す図である。
【図７】第１の処理例におけるコピー出力の例を示す図である。
【図８】第１の処理例におけるコピー出力の例を示す図である。
【図９】第１の処理例におけるコピー出力の例を示す図である。
【図１０】第１の処理例における処理手順を説明するフローチャート（その１）である。
【図１１】第１の処理例における処理手順を説明するフローチャート（その２）である。
【図１２】第２の処理例における著作権領域が設定された原稿の画像の例を示す図である。
【図１３】第２の処理例における表示パネルに原稿の画像の著作権情報を表示した状態を示す図である。
【図１４】第３の処理例における表示パネルに画像重複の警告画面を表示した状態を示す図である。
【図１５】第３の処理例における処理手順の一部を説明するフローチャートである。
【図１６】第４の処理例における表示パネルに出力パターンを表示した状態を示す図である。
【図１７】第４の処理例における処理手順の一部を説明するフローチャートである。
【符号の説明】
【００８０】
１    複合コピー機
２    著作権情報サーバ
３    サーバ
４    パソコン
１１  スキャナ
１４  操作・表示パネル
１６  コインベンダ
１９  マクロシステムコントローラ
２１  アンテナ
【図１】
2006352260.tif 000005
【図２】
2006352260.tif 000006
【図３】
2006352260.tif 000007
【図４】
2006352260.tif 000008
【図５】
2006352260.tif 000009
【図６】
2006352260.tif 000010
【図７】
2006352260.tif 000011
【図８】
2006352260.tif 000012
【図９】
2006352260.tif 000013
【図１０】
2006352260.tif 000014
【図１１】
2006352260.tif 000015
【図１２】
2006352260.tif 000016
【図１３】
2006352260.tif 000017
【図１４】
2006352260.tif 000018
【図１５】
2006352260.tif 000019
【図１６】
2006352260.tif 000020
【図１７】
2006352260.tif 000021